(57)【特許請求の範囲】
【請求項１】
水中に配置される壁体に形成された長方形状のスリットの開口の投影面内に配置し、前記スリットを通過した波のエネルギーによって回転する水車と、
前記水車の外形よりも大きい外形を有し、前記スリットを通過した波のエネルギーによって移動する移動体とを備えていることを特徴とする波力発電装置。
【請求項２】
前記スリットの両側の壁体から前記スリットの長辺に平行な状態で消波用の空間内に向けて延びた一対の整流板を備えていることを特徴とする請求項１記載の波力発電装置。
【請求項３】
前記水車の回転によって駆動する第１油圧ポンプ、
前記移動体の移動によって駆動する第２油圧ポンプ、
前記第１油圧ポンプ及び前記第２油圧ポンプの作動油が循環する循環路、
この循環路に設けられた１つの油圧モーター、
及びこの油圧モーターの駆動によって発電する１つの発電機を備えていることを特徴とする請求項１又は２記載の波力発電装置。
【請求項４】
一対の前記整流板は対向面の上下の２か所に水平方向に延びて取り付けられたガイド部材を有しており、
前記移動体は、左右側面の上下２か所から突出し、前記ガイド部材に沿ってスライド自在に把持される凸部を有していることを特徴とする請求項２又は請求項２を引用する請求項３記載の波力発電装置。
【請求項５】
前記第２油圧ポンプは、シリンダー部と、このシリンダー部から突出して端部が前記移動体に固定され、前記移動体の往復移動によって往復移動するピストンロッド部とを有していることを特徴とする請求項３又は請求項３を引用する請求項４記載の波力発電装置。
【請求項６】
前記移動体は揺動軸部を有する振り子板であり、
前記揺動軸部に連結した第３油圧ポンプを備えていることを特徴とする請求項１又は２記載の波力発電装置。
【請求項７】
前記スリットの短辺方向の中心面上に垂直方向に延びた頂辺から左右に前記壁体から離れつつ湾曲した左右湾曲面と、この左右湾曲面に連続して前記壁体に平行に延びる左右平行面とを有した整流板を備えていることを特徴とする請求項１記載の波力発電装置。
【請求項８】
前記移動体は、前記スリットの左右両側で前記壁体に対して直角方向に配置された揺動軸部を有し、前記壁体と前記左右平行面との間に設けられた振り子板であることを特徴とする請求項７記載の波力発電装置。
【発明の詳細な説明】
【技術分野】
【０００１】
本発明は波力発電装置に関する。
【背景技術】
【０００２】
特許文献１は従来の波力発電装置を開示している。この波力発電装置は、海面に保持する浮体と、この浮体に回転自在に軸支した複数の水車とを備えている。各水車は回転軸を平行、かつ水平方向に延ばしている。この波力発電装置は各水車の回転軸が波の流れ方向に直交するように浮体を海面に保持する。この波力発電装置は複数の水車によって波のエネルギーを回転エネルギーに変換して発電することができる。このため、この波力発電装置は発電効率を高めることができる。
【先行技術文献】
【特許文献】
【０００３】
【特許文献１】特開２００９−２２１９９９号公報
【発明の概要】
【発明が解決しようとする課題】
【０００４】
しかし、特許文献１の波力発電装置は各水車の形態が同じである。これら水車は海面近傍の波の流れ（エネルギー）を受けて回転する。このように、この波力発電装置は波のエネルギーの一部しか回転エネルギーに変換することができない。このため、この波力発電装置は波のエネルギーの一部を発電に利用しているに過ぎない。
【０００５】
本発明は、上記従来の実情に鑑みてなされたものであって、波のエネルギーを効率的に利用して発電することができる波力発電装置を提供することを解決すべき課題としている。
【課題を解決するための手段】
【０００６】
本発明の波力発電装置は、水中に配置される壁体に形成された長方形状のスリットの開口の投影面内に配置し、前記スリットを通過した波のエネルギーによって回転する水車と、
前記水車の外形よりも大きい外形を有し、前記スリットを通過した波のエネルギーによって移動する移動体とを備えていることを特徴とする。
【発明の効果】
【０００７】
本発明の波力発電装置は、波が壁体に形成されたスリットを通過することによって流速が早くなるため、スリットの開口の投影面内に配置した水車を勢いよく回転させることができる。また、この波力発電装置は、スリットを通過した波のエネルギーによって移動する移動体を備えているため、水車で受けることができなかった波のエネルギーを移動体によって往復移動エネルギーに変換することができる。つまり、この波力発電装置は、水車及び移動体によって、波のエネルギーを運動エネルギーに効率よく変換し、これら運動エネルギーを利用して発電することができる。
【０００８】
したがって、本発明の波力発電装置は波のエネルギーを効率的に利用して発電することができる。
【図面の簡単な説明】
【０００９】
【図１】実施例１の波力発電装置を示す概略図である。
【図２】実施例１の波力発電装置の要部を示す水平断面図である。
【図３】実施例１の波力発電装置の要部を示す垂直断面図である。
【図４】実施例２の波力発電装置を示す概略図である。
【図５】実施例２の波力発電装置の要部を示す水平断面図である。
【図６】実施例３の波力発電装置の要部を示す水平断面図である。
【発明を実施するための形態】
【００１０】
本発明の波力発電装置を具体化した実施例１〜３について、図面を参照しつつ説明する。
【００１１】
＜実施例１＞
実施例１の波力発電装置は、図１〜図３に示すように、長方形状の複数のスリット１１が形成された壁体１０と、波のエネルギーを運動エネルギーに変換する複数の水車２０及び移動体である複数の移動板３０とを備えている。
【００１２】
壁体１０は上部を海、川又は湖の水面より上方に露出して水中に配置する。この状態で壁体１０は水平方向に延びた横長矩形状である。また、この状態で、複数のスリット１１が長辺を垂直方向にして水平方向に等間隔に整列し、上部が水面より上方に開口している。
【００１３】
壁体１０は、一方の側面側に側壁体１２によって形成された消波用の空間Ｓを有している。側壁体１２は、壁体１０の上下左右の各端面に連続した上壁部１２Ａ、下壁部１２Ｂ、左壁部、右壁部、及びこれら壁部の各後端面に連続しており、壁体１０に対向して消波用の空間Ｓを閉鎖する後壁部１２Ｃを有している。つまり、壁体１０と側壁体１２とは中空の直方体形状の箱体を形成している
【００１４】
壁体１０と側壁体１２とは上部が水面より上方に露出するように、海、川又は湖に設置される。つまり、側壁体１２の下壁部１２Ｂが海、川又は湖の底Ｂに固定される。また、側壁体１２の後壁部１２Ｃが海、川又は湖等の岸Ｃに接して固定される。このため、複数のスリット１１を形成した壁体１０が海、川又は湖側に面することになる。
【００１５】
波は、壁体１０に形成された複数のスリット１１を通過して消波用の空間Ｓに流れ込んだり、消波用の空間Ｓ内から各スリット１１を通過して海、川又は湖側に流れ出したりする流れを形成する。消波用の空間Ｓは各スリット１１を通過して流れ込んだ波を鎮静化させることができる。
【００１６】
各水車２０は各スリット１１内に垂直方向に延びて配置されている。つまり、各水車２０は各スリット１１の開口の投影面内に配置されている。各水車２０は、回転軸部２１と、回転軸部２１の周りに形成した回転翼部２２とを有している。各水車２０の回転軸部２１は、各スリット１１の短辺方向の中心面上であって、かつスリット１１内に垂直方向に延びて配置されている。この回転軸部２１は、上端部がスリット１１の上壁を垂直方向に貫通して軸支されており、下端部がスリット１１の下壁１１Ａの上面に軸支されている。
【００１７】
回転翼部２２は、回転軸部２１の上下位置の２か所から回転軸部２１を中心に放射方向に拡がった円盤状の支持部２２Ａと、上下に位置する支持部２２Ａ間に設けられ、水平面視において９０°間隔に放射方向に延びた縦長矩形状の４枚の翼部２２Ｂとを有している。回転翼部２２は、回転軸部２１と翼部２２Ｂとの間に隙間を形成している。各水車２０は同一方向のみに回転することができる。
【００１８】
スリット１１を通過する波はスリット１１を通過することによって流速が速くなる。また、各水車２０は、回転軸部２１がスリット１１の短辺方向の中心面上に配置され、スリット１１内に配置されている。このため、この波力発電装置はスリット１１を通過する波によって水車２０を勢いよく回転させることができる。
【００１９】
この波力発電装置は水車２０の回転エネルギーによって駆動する回転式の第１油圧ポンプ５１を各水車２０の夫々に設けている。各第１油圧ポンプ５１は水車２０の回転軸部２１の上端部に連結している。また、第１油圧ポンプ５１は側壁体１２の上壁部１２Ａの上面に設置されている。各第１油圧ポンプ５１は各水車２０の回転軸部２１の回転によって回転する。また、各第１油圧ポンプ５１は作動油が流出する第１ポート５１Ａ及び作動油が流入する第２ポート５１Ｂを有している。第１ポート５１Ａは第１流路６１が連通している。第２ポート５１Ｂは第２流路６２が連通している。
【００２０】
各移動板３０は縦長矩形状の平板である。各移動板３０は各スリット１１の開口に対向して消波用の空間Ｓ内に設けられている。各移動板３０は後述する一対の整流板４０の対向面の夫々に設けられたガイド部材４１に往復移動自在に支持されている。つまり、各移動板３０は一対の整流板４０の間に往復移動自在に支持されている。また、各移動板３０は位置を各スリット１１の開口の近傍に復元する復元力となるコイルばね７０を有している。
【００２１】
一対の整流板４０は縦長矩形状の平板である。また、各整流板４０は上下寸法が各スリット１１の長辺よりも長く形成されている。各整流板４０は各スリット１１の両側の壁体１０から各スリット１１の長辺に平行な状態で消波用の空間Ｓ内に向けて延びている。このため、一対の整流板４０は、スリット１１を流入出する波を整流板４０に沿った流れに整流することができる。
【００２２】
ガイド部材４１は一対の整流板４０の対向面の上下の２か所に水平方向に延びて取り付けられている。ガイド部材４１は整流板４０に取り付けられた状態で内部に水平方向に延びた空洞部を形成している。また、ガイド部材４１は整流板４０とは反対方向で、水平方向に延びた開口部を有している。この開口部の上下幅は空洞部の上下寸法よりも小さく形成されている。
【００２３】
ガイド部材４１は、各移動板３０の左右の側面の上下２か所から突出した凸部３１を開口部を介して空洞部内に収納している。移動板３０の凸部３１は先端部がガイド部材４１の開口部の上下幅より拡がっている。このため、移動板３０の凸部３１は、ガイド部材４１の空洞部内から抜け止めされつつ、ガイド部材４１に沿ってスライド自在に把持されている。このため、各移動板３０は、左右に配置されたガイド部材４１に支持され、スリット１１の開口面に対向した状態で、後壁部１２Ｃ方向及びスリット１１方向に往復移動をすることができる。
【００２４】
コイルばね７０は移動板３０と側壁体１２の後壁部１２Ｃとの間に挟持されている。このコイルばね７０は移動板３０が後壁部１２Ｃ側からスリット１１側に向けて移動する方向に弾性力を付与している。移動板３０は、スリット１１から消波用の空間Ｓ内に流入し、整流板４０によって整流された波の流れ（エネルギー）を受けて後壁部１２Ｃ方向に移動する。また、移動板３０は、整流板４０によって整流され、消波用の空間Ｓ内からスリット１１を通過して流出する波の流れと共にコイルばね７０の弾性力によってスリット１１方向に移動する。この際、移動板３０はコイルばね７０の弾性力によってスリット１１の開口の近傍に位置を復元する。移動板３０は、一対の整流板４０によって整流された波の流れを受けるため、波のエネルギーを効率的に受けることができる。また、移動板３０が良好に往復移動することができる。
【００２５】
この波力発電装置は移動板３０の往復運動エネルギーによって駆動するピストン式の第２油圧ポンプ５２を各移動板３０の夫々に設けている。各第２油圧ポンプ５２は、シリンダー部５２Ｃと、シリンダー部５２Ｃから突出して往復移動するピストンロッド部５２Ｐとを有している。各第２油圧ポンプ５２は、シリンダー部５２Ｃの端部を側壁体１２の後壁部１２Ｃに固定し、ピストンロッド部５２Ｐの端部を移動板３０に固定している。各第２油圧ポンプ５２は各移動板３０の往復移動によって駆動する。また、各第２油圧ポンプ５２は、シリンダー部５２Ｃに作動油が流出する第３ポート５２Ａ及び作動油が流入する第４ポート５２Ｂを有している。第２油圧ポンプ５２は、移動板３０が後壁部１２Ｃ方向に移動すると第３ポート５２Ａから作動油が流出し、移動板３０がスリット１１方向に移動すると第４ポート５２Ｂから作動油が流入する。第３ポート５２Ａは第３流路６３が連通している。第４ポート５２Ｂは第４流路６４が連通している。
【００２６】
この波力発電装置は各第１流路６１及び各第３流路６３が合流した流入路８１を有している。流入路８１は後述する油圧モーター５４の流入ポート５４Ａに連通している。また、この波力発電装置は後述する油圧モーター５４の流出ポート５４Ｂに連通した流出路８２を有している。この流出路８２に各第２流路６２及び第４流路６４が連通している。
【００２７】
第１流路６１は第１油圧ポンプ５１から流入路８１に向けた作動油の流れを許容する第１逆止弁６１Ａを有している。第２流路６２は流出路８２から第１油圧ポンプ５１に向けた作動油の流れを許容する第２逆止弁６２Ａを有している。第３流路６３は第２油圧ポンプ５２から流入路８１に向けた作動油の流れを許容する第３逆止弁６３Ａを有している。第４流路６４は流出路８２から第２油圧ポンプ５２に向けた作動油の流れを許容する第４逆止弁６４Ａを有している。
【００２８】
この波力発電装置は流入路８１と流出路８２との間に一つの油圧モーター５４を設けている。このように、この波力発電装置は、流入路８１及び流出路８２を共通にし、複数の第１流路６１及び複数の第２流路６２を利用して、複数の第１油圧ポンプ５１と一つの油圧モーター５４との間を作動油が循環する第１循環路６７を構成している。また、この波力発電装置は、流入路８１及び流出路８２を共通にし、複数の第３流路６３及び複数の第４流路６４を利用して、複数の第２油圧ポンプ５２と一つの油圧モーター５４との間を作動油が循環する第２循環路６８を構成している。このため、各第１油圧ポンプ５１が駆動することによって、第１循環路６７を作動油が循環する。また、各第２油圧ポンプ５２が駆動することによって、第２循環路６８を作動油が循環する。油圧モーター５４は第１循環路６７及び／又は第２循環路６８を作動油が循環することによって駆動する。
【００２９】
発電機５５は回転軸５５Ｒを油圧モーター５４の回転軸５４Ｒに直結している。このため、この発電機５５は、油圧モーター５４の駆動によって回転軸５５Ｒが回転し、発電することができる。この発電機５５は直流発電機である。このため、この波力発電装置は発電機５５に接続したパワーコンディショナー５６を備えている。パワーコンディショナー５６は直流発電機が発電した電気を家庭で利用することができるように変換する。
【００３０】
次に、この波力発電装置の発電動作を説明する。
【００３１】
波は、壁体１０に形成された各スリット１１を通過して消波用の空間Ｓに流れ込んだり、消波用の空間Ｓ内から各スリット１１を通過して海、川又は湖に流れ出したりする流れを形成する。この流れを利用して各水車２０は同一方向に回転する。特に、波がスリット１１を通過することによって流速が早くなるため、各水車２０は勢いよく回転する。
【００３２】
また、各移動板３０は、各スリット１１から消波用の空間Ｓ内に流入して各整流板４０によって整流された波の流れを受けて後壁部１２Ｃ方向に移動する。また、各移動板３０は、各整流板４０によって整流されて消波用の空間Ｓ内から各スリット１１を通過して流出する波の流れと共にコイルばね７０の弾性力によって各スリット１１方向に移動する。このように各移動板３０は水平方向の往復移動を繰り返す。
【００３３】
各水車２０が回転することによって各第１油圧ポンプ５１が駆動する。すると、各第１油圧ポンプ５１は、第１ポート５１Ａから作動油が流出し、第１循環路６７を循環した作動油が第２ポート５１Ｂから流入する。また、各移動板３０が往復移動を繰り返すことによって各第２油圧ポンプ５２が駆動する。すると、各第２油圧ポンプ５２は、第３ポート５２Ａから作動油が流出し、第２循環路６８を循環した作動油が第４ポート５２Ｂから流入する。
【００３４】
各第１油圧ポンプ５１の第１ポート５１Ａから流出した作動油は各第１流路６１を経由して流入路８１で合流する。また、各第２油圧ポンプ５２の第３ポート５２Ａから流出した作動油は各第３流路６３を経由して流入路８１で合流する。このように、流入路８１には各第１油圧ポンプ５１及び各第２油圧ポンプ５２から流出した作動油が合流する。流入路８１で合流した作動油は流入路８１を経由して一つの油圧モーター５４に流入する。この際、各第１流路６１に第１逆止弁６１Ａが設けられているため、各第１流路６１において、作動油は各第１油圧ポンプ５１から流入路８１へ向けて流れ、逆流を防止することができる。また、各第３流路６３に第３逆止弁６３Ａが設けられているため、各第３流路６３において、作動油は各第２油圧ポンプ５２から流入路８１へ向けて流れ、逆流を防止することができる。
【００３５】
油圧モーター５４内に流入した作動油は油圧モーター５４内を一定の方向に流れる。これによって、油圧モーター５４は回転軸５４Ｒが一方向に回転するように駆動する。油圧モーター５４の流出ポート５４Ｂから流出した作動油は、流出路８２を経由して、各第２流路６２及び各第４流路６４に分流する。各第２流路６２を流れる作動油は各第１油圧ポンプ５１の第２ポート５１Ｂに流入する。この際、各第２流路６２に第２逆止弁６２Ａが設けられているため、各第２流路６２において、作動油は流出路８２から各第１油圧ポンプ５１へ向けて流れ、逆流を防止することができる。このようにして、作動油は第１循環路６７を循環する。また、各第４流路６４を流れる作動油は各第２油圧ポンプ５２の第４ポート５２Ｂに流入する。この際、各第４流路６４に第４逆止弁６４Ａが設けられているため、各第４流路６４において、作動油は流出路８２から各第２油圧ポンプ５２へ向けて流れ、逆流を防止することができる。このようにして、作動油は第２循環路６８を循環する。
【００３６】
このように、この波力発電装置は、各水車２０が波のエネルギーを利用して回転すると、各第１油圧ポンプ５１が駆動し、第１循環路６７を作動油が循環する。また、この波力発電装置は、各水車２０で受けることができなかった波のエネルギーを利用して各移動板３０を往復移動させる。これによって、各第２油圧ポンプ５２が駆動し、第２循環路６８を作動油が循環する。
【００３７】
作動油が第１循環路６７及び／又は第２循環路６８を循環することによって、油圧モーター５４が継続的に駆動し、油圧モーター５４の回転軸５４Ｒが連続的に回転する。油圧モーター５４の回転軸５４Ｒが回転すると発電機５５の回転軸５５Ｒも回転するため、発電機５５が発電する。つまり、この波力発電装置は、複数の水車２０及び複数の移動板３０によって、波のエネルギーを運動エネルギーに効率よく変換し、これら運動エネルギーを利用して発電することができる。
【００３８】
したがって、実施例１の波力発電装置は波のエネルギーを効率的に利用して発電することができる。
【００３９】
また、この波力発電装置は、複数の水車２０及び複数の移動板３０が一つの油圧モーター５４及び一つの発電機５５を駆動する。このため、各水車２０の回転が一定でなく、第１油圧ポンプ５１から吐出する作動油の流量がばらついたり、各移動板３０の往復移動が一定でなく、第２油圧ポンプ５２から吐出する作動油の流量がばらついたりしても、油圧モーター５４に流入する作動油の流量を平均化することができる。このため、油圧モーター５４の回転が安定し、発電機５５の発電を安定させることができる。
【００４０】
また、複数の水車２０及び複数の移動板３０が一つの油圧モーター５４及び一つの発電機５５を駆動することによって、各水車２０及び各移動板３０の夫々に対応して複数の油圧モーター及び複数の発電機を設けた場合に比べて、油圧モーター５４及び発電機５５の容量を大きくすることができる。このため、発電効率を高めることができる。
【００４１】
＜実施例２＞
実施例２の波力発電装置は、図４及び図５に示すように、移動体が振り子板１３０である点で実施例１と相違する。他の構成は実施例１と同様であり、実施例１と同一の構成は同一の符号を付し、詳細な説明を省略する。
【００４２】
この波力発電装置は、各スリット１１の両側の壁体１０から消波用の空間Ｓ内に向けて延びた一対の整流板４０の間に振り子板１３０を配置している。振り子板１３０は、矩形状の平板部１３１と、平板部１３１の左右側面に沿って延びる左右辺部１３２と、一対の左右辺部１３２の上端部を連結した揺動軸部１３３とを有している。
【００４３】
揺動軸部１３３は側壁体１２の上壁部１２Ａの上面に設けられた一対の軸受部１３４に両端が軸支されている。また、揺動軸部１３３は壁体１０に対して平行に配置されている。振り子板１３０は側壁体１２の上壁部１２Ａに貫設した開口１３を通じて消波用の空間Ｓ内に揺動自在に吊下げられている。振り子板１３０は、各スリット１１を通過して消波用の空間Ｓ内に流入し、各整流板４０によって整流された波の流れ、及び各整流板４０によって整流されて消波用の空間Ｓ内から各スリット１１を通過して流出する波の流れによって、揺動（往復移動）する。
【００４４】
この波力発電装置は各振り子板１３０の揺動軸部１３３の一端部に連結した第３油圧ポンプ５３を設けている。各第３油圧ポンプ５３は側壁体１２の上壁部１２Ａの上面に配置されている。各第３油圧ポンプ５３は振り子板１３０の揺動軸部１３３が往復回転することによって駆動する。第３油圧ポンプ５３は作動油が流出する第５ポート５３Ａ及び作動油が流入する第６ポート５３Ｂを有している。第５ポート５３Ａは第５流路６５が連通している。第６ポート５３Ｂは第６流路６６が連通している。第５流路６５は流入路８１に連通している。第６流路６６は流出路８２に連通している。
【００４５】
第５流路６５は第３油圧ポンプ５３から流入路８１に向けた作動油の流れを許容する第５逆止弁６５Ａを有している。第６流路６６は流出路８２から第３油圧ポンプ５３に向けた作動油の流れを許容する第６逆止弁６６Ａを有している。この波力発電装置は、流入路８１及び流出路８２を共通にし、複数の第５流路６５及び複数の第６流路６６を利用して、複数の第３油圧ポンプ５３と一つの油圧モーター５４との間を作動油が循環する第３循環路６９を構成している。各第３油圧ポンプ５３が駆動することによって、第３循環路６９を作動油が循環する。油圧モーター５４は第１循環路６７及び／又は第３循環路６９を作動油が循環することによって駆動する。
【００４６】
この波力発電装置は、各水車２０の回転によって駆動する各第１油圧ポンプ５１から流出した作動油と、各振り子板１３０の揺動によって駆動する各第３油圧ポンプ５３から流出した作動油が流入路８１で合流する。流入路８１で合流した作動油は流入路８１を経由して一つの油圧モーター５４に流入する。この際、各第５流路６５に第５逆止弁６５Ａが設けられているため、各第５流路６５において、作動油は各第３油圧ポンプ５３から流入路８１へ向けて流れ、逆流を防止することができる。
【００４７】
油圧モーター５４内に流入した作動油は油圧モーター５４内を一定の方向に流れる。これによって、油圧モーター５４は回転軸５４Ｒを一方向に回転するように駆動する。油圧モーター５４の流出ポート５４Ｂから流出した作動油は、流出路８２を経由して、各第２流路６２及び各第６流路６６に分流する。各第６流路６６を流れる作動油は各第３油圧ポンプ５３の第６ポート５３Ｂに流入する。この際、各第６流路６６に第６逆止弁６６Ａが設けられているため、各第６流路６６において、作動油は流出路８２から各第３油圧ポンプ５３へ向けて流れ、逆流を防止することができる。このようにして、作動油は第３循環路６９を循環する。
【００４８】
このように、この波力発電装置は、各水車２０が波のエネルギーを利用して回転すると、各第１油圧ポンプ５１が駆動し、第１循環路６７を作動油が循環する。また、この波力発電装置は、各振り子板１３０が波のエネルギーを利用して揺動すると、各第３油圧ポンプ５３が駆動し、第３循環路６９を作動油が循環する。作動油が第１循環路６７及び／又は第３循環路６９を循環することによって、油圧モーター５４が継続的に駆動し、油圧モーター５４の回転軸５４Ｒが連続的に回転する。油圧モーター５４の回転軸５４Ｒが回転すると発電機５５の回転軸５５Ｒも回転するため、発電機５５が発電する。つまり、この波力発電装置は、複数の水車２０及び複数の振り子板１３０によって、波のエネルギーを運動エネルギーに効率よく変換し、これら運動エネルギーを利用して発電することができる。
【００４９】
したがって、実施例２の波力発電装置は波のエネルギーを効率的に利用して発電することができる。
【００５０】
また、この波力発電装置は、複数の水車２０及び複数の振り子板１３０が一つの油圧モーター５４及び一つの発電機５５を駆動する。このため、各水車２０の回転が一定でなく、第１油圧ポンプ５１から吐出する作動油の流量がばらついたり、各振り子板１３０の揺動が一定でなく、第３油圧ポンプ５３から吐出する作動油の流量がばらついたりしても、油圧モーター５４に流入する作動油の流量を平均化することができる。このため、油圧モーター５４の回転が安定し、発電機５５の発電を安定させることができる。
【００５１】
また、複数の水車２０及び複数の振り子板１３０が一つの油圧モーター５４及び一つの発電機５５を駆動することによって、各水車２０及び各振り子板１３０の夫々に対応して複数の油圧モーター及び複数の発電機を設けた場合に比べて、油圧モーター５４及び発電機５５の容量を大きくすることができる。このため、発電効率を高めることができる。
【００５２】
＜実施例３＞
実施例３の波力発電装置は、図６に示すように、消波用の空間Ｓ内であって、スリット１１の左右両側に振り子板１３０を夫々設けており、スリット１１を流入出する波の流れが夫々の振り子板１３０に向いて流れ、各振り子板１３０が良好に揺動するように整流板１４０を設けている点で実施例２と相違する。他の構成は実施例２と同様であり、実施例２と同一の構成は同一の符号を付し、詳細な説明を省略する。
【００５３】
スリット１１の両側の対称位置に設けた各振り子板１３０は各揺動軸部１３３が壁体１０に対して直角方向に配置されている。このため、各振り子板１３０は壁体１０に沿って揺動する。各振り子板１３０はスリット１１から左右両側に等間隔に離れて配置されている。
【００５４】
整流板１４０は、スリット１１の短辺方向の中心面上に垂直方向に延びた頂辺１４１を設け、頂辺１４１から左右に側壁体１２の後壁部１２Ｃに近づきながら湾曲した左右湾曲面１４２と左右湾曲面１４２に連続して壁体１０に平行に延びる左右平行面１４３とを有している。振り子板１３０は壁体１０と整流板１４０の左右平行面１４３との間に配置されている。このため、スリット１１を通過して消波用の空間Ｓに流れ込んだり、消波用の空間Ｓ内から各スリット１１を通過して海、川又は湖に流れ出したりする流れが、スリット１１の両側に設けた各振り子板１３０を揺動させる方向に流れる。よって、この波力発電装置はスリット１１の両側に設けた各振り子板１３０を良好に揺動させることができる。
【００５５】
この波力発電装置は、一つのスリット１１に対して、スリット１１内に配置した一つの水車２０と、スリット１１の左右両側に配置した二つの振り子板１３０とを備えている。このため、一つのスリット１１を通過する波のエネルギーを利用して一つの水車２０を回転させるとともに、その水車２０で受けることができなかった波のエネルギーを二つの振り子板１３０で受けて、振り子板１３０を遥動させる。これによって、第１油圧ポンプ５１と第３油圧ポンプ５３とが駆動されるため、油圧モーター５４が継続的に安定的に駆動し、発電機５５も安定的に駆動する。このように、この波力発電装置は、複数の水車２０及び複数の振り子板１３０によって、波のエネルギーを運動エネルギーに効率よく変換し、これら運動エネルギーを利用して発電することができる。
【００５６】
したがって、実施例３の波力発電装置は波のエネルギーを効率的に利用して発電することができる。
【００５７】
本発明は上記記述及び図面によって説明した実施例１〜３に限定されるものではなく、例えば次のような実施例も本発明の技術的範囲に含まれる。
（１）実施例１〜３では、整流板を備えていたが、整流板を備えなくてもよい。
（２）実施例１〜３では、移動体として移動板、又は振り子板を備えていたが、波のエネルギーによって移動するものであれば他の形態であってもよい。
（３）実施例１〜３では、水車、移動板、振り子板の運動エネルギーを油圧ポンプ、油圧モーターを備えた油圧回路を介して発電機を駆動して発電したが、水車、移動板、振り子板に直接的に発電機を連結して発電してもよい。
（４）実施例１〜３では、発電機が直流発電機であったが、誘導発電機や同期発電機などの交流発電機であってもよい。
（５）実施例１〜３では、スリットを有した壁体と側壁体とによって形成した消波用の空間を備えたが、側壁体を備えず、スリットを有した壁体のみを備えて、スリットを通過する波のエネルギーを利用して回転又は往復移動するように水車、移動板、振り子板を配置してもよい。
（６）実施例１〜３では、水車をスリット内に配置したが、水車はスリットを通過する波のエネルギーを利用して回転することができる位置であればスリット外に配置してもよい。
【符号の説明】
【００５８】
１０…壁体
１１…スリット
２０…水車
３０、１３０…移動体（３０…移動板、１３０…振り子板）
４０、１４０…整流板
【図１】
0005755586.tif 000002
【図２】
0005755586.tif 000003
【図３】
0005755586.tif 000004
【図４】
0005755586.tif 000005
【図５】
0005755586.tif 000006
【図６】
0005755586.tif 000007